(57)【要約】【課題】  本発明は、ユ−ザによるアプリの利用を促進することを目的とする。【解決手段】  本発明は、ネットワ−クを介して複数の情報処理端末と接続可能なサ−バであって、アプリＩＤとＵＲＬスキ−ム情報とを予め対応付けて記憶している記憶手段と、ネットワ−ク上に存在する広告媒体サイト内の広告リンクが前記情報処理端末上で選択された際に、広告リンクに含まれる、アプリＩＤ及びその他パラメタ情報を受信する受信手段と、受信したアプリＩＤと対応付けられたＵＲＬスキ−ム情報にその他パラメタ情報を付加した情報をリンク先ＵＲＬに設定したレスポンスデ−タを前記情報処理端末に送信する送信手段と、を備えることを特徴とするサ−バである。【選択図】図１
2016149107.tif 000002
【特許請求の範囲】
【請求項１】
ネットワ−クを介して複数の情報処理端末と接続可能なサ−バであって、
アプリＩＤとＵＲＬスキ−ム情報とを予め対応付けて記憶している記憶手段と、
ネットワ−ク上に存在する広告媒体サイト内の広告リンクが前記情報処理端末上で選択された際に、広告リンクに含まれる、アプリＩＤ及びその他パラメタ情報を受信する受信手段と、
受信したアプリＩＤと対応付けられたＵＲＬスキ−ム情報にその他パラメタ情報を付加した情報をリンク先ＵＲＬに設定したレスポンスデ−タを前記情報処理端末に送信する送信手段と、
を備えることを特徴とするサ−バ。
【請求項２】
ネットワ−クを介して複数の情報処理端末と接続可能なサ−バであって、
アプリＩＤとＵＲＬスキ−ム情報とを予め対応付けて記憶している記憶手段と、
ネットワ−ク上に存在する広告媒体サイト内の広告リンクが前記情報処理端末上で選択された際に、広告リンクに含まれる、アプリＩＤ及びその他パラメタ情報を受信する受信手段と、
受信したアプリＩＤと対応付けられたＵＲＬスキ−ム情報及び受信したその他パラメタ情報を含むクッキ−を発行し前記情報処理端末に格納する格納手段と、
受信した前記アプリＩＤに対応付けられたＵＲＬスキ−ム情報にその他パラメタ情報を付加した情報をリンク先ＵＲＬに設定したレスポンスデ−タを前記情報処理端末に送信する第一の送信手段と、
前記情報処理端末にインスト−ルされたアプリが起動される時に前記情報処理端末から送信されるクッキ−を受信すると、ＵＲＬスキ−ム情報にその他パラメタ情報を付加した情報をリンク先ＵＲＬに設定したレスポンスデ−タを前記情報処理端末に送信する第二の送信手段と
を備えることを特徴とするサ−バ。
【請求項３】
ネットワ−クを介して複数の情報処理端末と接続可能なサ−バであって、
アプリＩＤとストアＵＲＬ情報及びＵＲＬスキ−ム情報とを予め対応付けて記憶している記憶手段と、
ネットワ−ク上に存在する広告媒体サイト内の広告リンクが前記情報処理端末上で選択された際に、広告リンクに含まれる、アプリＩＤ及びその他パラメタ情報を受信する受信手段と、
受信したアプリＩＤと対応付けられたＵＲＬスキ−ム情報及び受信したその他パラメタ情報を含むクッキ−を発行し前記情報処理端末に格納する格納手段と、
受信したアプリＩＤ及び前記記憶手段を用いてストアＵＲＬ情報及びＵＲＬスキ−ム情報を特定する特定手段と、
特定されたストアＵＲＬ情報及びＵＲＬスキ−ム情報を用いて前記情報処理端末上で動作するプログラムを含むレスポンスデ−タを前記情報処理端末に送信する第一の送信手段と、
前記情報処理端末にインスト−ルされたアプリが起動される時に前記情報処理端末から送信されるクッキ−を受信すると、ＵＲＬスキ−ム情報にその他パラメタ情報を付加した情報をリンク先ＵＲＬに設定したレスポンスデ−タを前記情報処理端末に送信する第二の送信手段と
を備え、
前記プログラムが、
アプリがインスト−ルされているか否かを判定するステップと、
アプリがインスト−ルされているときは前記特定手段により特定されたＵＲＬスキ−ム情報に受信したその他パラメタ情報を付加した情報をリンク先ＵＲＬに、アプリがインスト−ルされていないときは前記特定手段により特定されたストアＵＲＬ情報をリンク先ＵＲＬに、設定しうるステップと
を有する
ことを特徴とするサ−バ。
【発明の詳細な説明】
【技術分野】
【０００１】本発明はサ−バに関し、より詳細には、アプリケ−ションプログラムのダウンロ−ド、インスト−ル又は起動に纏わる各種操作を簡便にし、ユ−ザの利便性を向上させることにより、ユ−ザによるアプリの利用を促進するサ−バに関する。
【背景技術】
【０００２】近時、スマ−トフォン等のユ−ザ情報処理端末が普及しており、そのユ−ザ情報処理端末においては、アプリケ−ションプログラム（以下、「アプリ」という。）をインスト−ルした上で、そのアプリをユ−ザ情報処理端末上で起動してそのアプリのコンテンツを楽しむことが行われている。このようなアプリは、アプリストア（例えばＡｐｐＳｔｏｒｅ（登録商標）、ＧｏｏｇｌｅＰｌａｙ（登録商標）等）に登録、集積されており、そこから、ユ−ザが自己の好むアプリを自己の情報処理端末にダウンロ−ドおよびインスト−ルすることになる。【０００３】情報処理端末上で動作するアプリの利用を促進する一手法として、ユ−ザに対してク−ポンを発行したり、アプリ内で使用可能なポイントやアイテムを付与したりするものが一般に知られている。【０００４】ク−ポン、ポイント、アイテムなどを得ることで、ユ−ザは無料又は割安でアプリを利用したり、商品を購入したりすることが可能になる。【０００５】しかし、ク−ポン、ポイント、アイテムなどを発行・付与するには、広告主等にその分の費用が発生するというデメリットが伴う。【０００６】なお、出願人は出願時点までに本発明に関連する公開された先行技術文献を発見することができなかった。よって、先行技術文献情報を開示していない。
【発明の概要】
【発明が解決しようとする課題】
【０００７】本発明は従来の技術とは異なる側面から、ユ−ザによるアプリの利用を促進することを目的とする。すなわち、ユ−ザの利便性を向上させることにより、ユ−ザによるアプリの利用を促進することを目的とする。
【課題を解決するための手段】
【０００８】上記課題を解決するために、請求項１に係るサ−バは
アプリＩＤとＵＲＬスキ−ム情報とを予め対応付けて記憶している記憶手段と、ネットワ−ク上に存在する広告媒体サイト内の広告リンクが情報処理端末上で選択された際に、広告リンクに含まれる、アプリＩＤ及びその他パラメタ情報を受信する受信手段と、受信したアプリＩＤと対応付けられたＵＲＬスキ−ム情報にその他パラメタ情報を付加した情報をリンク先ＵＲＬに設定したレスポンスデ−タを情報処理端末に送信する送信手段とを備える。【０００９】このような構成により本発明によれば、広告媒体サイトの広告リンクがクリック等されるだけでウェブブラウザを介してアプリが起動される。アプリが起動すると、ＵＲＬスキ−ムのパラメタとしてその他パラメタ情報（例えば、商品ＩＤなど）が付加されているため、直接アプリ内の特定のペ−ジ（例えば、商品を購入可能なアプリにおける特定の商品購入ペ−ジなど）に遷移することが可能になりユ−ザの利便性が向上する。【００１０】上記課題を解決するために、請求項２に係るサ−バは
アプリＩＤとＵＲＬスキ−ム情報とを予め対応付けて記憶している記憶手段と、ネットワ−ク上に存在する広告媒体サイト内の広告リンクが情報処理端末上で選択された際に、広告リンクに含まれる、アプリＩＤ及びその他パラメタ情報を受信する受信手段と、受信したアプリＩＤと対応付けられたＵＲＬスキ−ム情報及び受信したその他パラメタ情報を含むクッキ−を発行し情報処理端末に格納する格納手段と、受信した前記アプリＩＤに対応付けられたＵＲＬスキ−ム情報にその他パラメタ情報を付加した情報をリンク先ＵＲＬに設定したレスポンスデ−タを情報処理端末に送信する第一の送信手段と、情報処理端末にインスト−ルされたアプリが初めて起動される時に情報処理端末から送信されるクッキ−を受信すると、ＵＲＬスキ−ム情報にその他パラメタ情報を付加した情報をリンク先ＵＲＬに設定したレスポンスデ−タを情報処理端末に送信する第二の送信手段とを備える。【００１１】このような構成により本発明によれば、［０００９］の作用、効果に加え、情報処理端末にアプリがインスト−ルされていない場合にも、アプリをインスト−ルした後に起動される時に、クッキ−に保存されたＵＲＬスキ−ム情報及びその他パラメタ情報（例えば、商品ＩＤなど）を用いて直接アプリ内の特定のペ−ジ（例えば、商品を購入可能なアプリにおける特定の商品購入ペ−ジなど）に遷移することが可能になり、ユ−ザの利便性が向上する。【００１２】上記課題を解決するために、請求項３に係るサ−バは
アプリＩＤとストアＵＲＬ情報及びＵＲＬスキ−ム情報とを予め対応付けて記憶している記憶手段と、ネットワ−ク上に存在する広告媒体サイト内の広告リンクが情報処理端末上で選択された際に、広告リンクに含まれる、アプリＩＤ及びその他パラメタ情報を受信する受信手段と、受信したアプリＩＤと対応付けられたＵＲＬスキ−ム情報及び受信したその他パラメタ情報を含むクッキ−を発行し情報処理端末に格納する格納手段と、受信したアプリＩＤ及び前記記憶手段を用いてストアＵＲＬ情報及びＵＲＬスキ−ム情報を特定する特定手段と、特定されたストアＵＲＬ情報及びＵＲＬスキ−ム情報を用いて情報処理端末上で動作するプログラムを含むレスポンスデ−タを情報処理端末に送信する第一の送信手段と、情報処理端末にインスト−ルされたアプリが初めて起動される時に情報処理端末から送信されるクッキ−を受信すると、ＵＲＬスキ−ム情報にその他パラメタ情報を付加した情報をリンク先ＵＲＬに設定したレスポンスデ−タを情報処理端末に送信する第二の送信手段とを備え、
前記プログラムが、
アプリがインスト−ルされているか否かを判定するステップと、アプリがインスト−ルされているときは前記特定手段により特定されたＵＲＬスキ−ム情報に受信したその他パラメタ情報を付加した情報をリンク先ＵＲＬに、アプリがインスト−ルされていないときは前記特定手段により特定されたストアＵＲＬ情報をリンク先ＵＲＬに、設定しうるステップと
を有することを特徴とする。【００１３】このような構成により本発明によれば、［０００９］及び［００１１］の作用、効果に加え、情報処理端末にアプリがインスト−ルされていない場合、自動でアプリストア内におけるそのアプリのダウンロ−ドおよびインスト−ルを行うことができるペ−ジ（以下、「ダウンロ−ドペ−ジ」という。）に遷移することが可能になりユ−ザの利便性が向上する。
【発明を実施するための形態】
【００１４】以下、添付図面を適宜用いて、本発明の実施の形態について説明する。図１は、本発明の実施の形態にかかる情報処理システムの構成を示すブロック図である。図示するように、この情報処理システムは、複数のインタ−ネット利用者（利用者Ａ、Ｂ・・・Ｚ）によって操作される複数の携帯端末などの情報処理端末１０（情報処理端末１０ａ、１０ｂ・・・１０ｚ）と、サ−バ装置２０と、通信ネットワ−ク３０とから構成される。
【００１５】通信ネットワ−ク３０には、広告主からの依頼等に基づきアプリに関する広告を掲載する広告媒体サイトを配信する広告配信サ−バ（図示せず）及びユ−ザが自己の好むアプリを自己の情報処理端末にダウンロ−ド、インスト−ルすることが可能なアプリストア（図示せず）が接続されている。
【００１６】情報処理端末１０は、例えばスマ−トフォン等のように、外部からアプリをダウンロ−ドしてインスト−ルできると共に、そのアプリのコンテンツを表示できるものを対象としている。このため、ユ−ザ端末は、演算制御手段としてのＣＰＵ，ネットワ−クへの通信手段、ＣＰＵに基本動作を行わせるオペレ−ティング・システム（ＯＳ：Ｏｐｅｒａｔｉｎｇ  Ｓｙｓｔｅｍ）、メモリ、ＨＤＤ、入力手段、ディスプレイ等のコンピュ−タとしての各要素を備えている。また、ウェブブラウザプログラムを備えている。
【００１７】情報処理端末１０において、ＯＳ及び本実施例における処理を実施するためのアプリがＣＰＵにより実行される際にはＨＤＤからメモリに読み出される。また、処理途中のデ−タについては、主としてメモリに格納されうるが、ＨＤＤにも格納されうる。
【００１８】サ−バ２０は、ウェブサ−バ機能、ペ−ジデ−タ生成部、アプリケ−ションデ−タベ−ス（以下、「デ−タベ−ス」を「ＤＢ」と記載するものとする。）、商品ＤＢ、クリックＤＢを有する。
サ−バ２０は、物理的に１台のコンピュ−タによって構成されてもよいし、同一または異なるサイト内の複数のコンピュ−タによって構成されてもよい。
【００１９】ウェブサ−バ機能は、例えば、Ａｐａｃｈｅ  ＨＴＴＰ  Ｓｅｒｖｅｒなどの、いわゆるウェブサ−バプログラムを実行することにより実現され、ＨＴＴＰ（Ｈｙｐｅｒｔｅｘｔ  Ｔｒａｎｓｆｅｒ  Ｐｒｏｔｏｃｏｌ）に規定される手順に基づいて、テキストまたは画像などの各種のオブジェクトが含まれるＨＴＭＬ（Ｈｙｐｅｒｔｅｘｔ  Ｍａｒｋｕｐ  Ｌａｎｇｕａｇｅ）方式またはＸＭＬ（Ｅｘｔｅｎｓｉｂｌｅ  Ｍａｒｋｕｐ  Ｌａｎｇｕａｇｅ）方式などのウェブペ−ジのデ−タを提供する。
【００２０】ペ−ジデ−タ生成部は、ウェブサ−バ機能によって提供される、ウェブペ−ジのデ−タを生成する。ペ−ジデ−タ生成部は、例えば、ＰＨＰ（ＨｙｐｅｒＴｅｘｔ  Ｐｒｅｐｒｏｃｅｓｓｏｒ）プログラムなどのサ−バサイドスクリプトを利用することによって実現され得る。
【００２１】アプリケ−ションＤＢは、図２に示すように、アプリＩＤと、アプリ名と、ストアＵＲＬ情報と、ＵＲＬスキ−ム情報とを有する。
【００２２】ストアＵＲＬ情報はストア内における特定のアプリのダウンロ−ドペ−ジへアクセス可能なＵＲＬ情報を保持する。
【００２３】ＵＲＬスキ−ムとは、ＨＴＭＬに記述することによって、ウェブブラウザからアプリを起動することを可能にするものである。一般にｈｔｔｐ：／／ｅｘａｍｐｌｅ．ｃｏｍというＵＲＬのｈｔｔｐの部分が「ＵＲＬスキ−ム」に該当する。このｈｔｔｐの部分を、例えば、ｍｙａｐｐと記述し、ＵＲＬスキ−ムを独自に設定しておくことで、そのＵＲＬスキ−ムに対応するアプリをウェブブラウザから起動することが可能となる。なお、ＵＲＬスキ−ムの設定は、アプリ毎に設定する必要がある。
【００２４】商品ＤＢは、図３に示すように、商品ＩＤと、アプリＩＤと、商品名とを有する。
【００２５】クリックＤＢは、図４に示すように、クリックＩＤと、アプリＩＤと、商品ＩＤと、ＵＲＬスキ−ム情報と、ストアＵＲＬ情報とを有する。クリックＤＢは、広告リンクが選択され、情報処理端末１０からサ−バ２０にアクセスがあった際にレコ−ドが追加される。なお、本実施例では、クリックＤＢを作成することとしているが、便宜上のものであって、本実施例におけるサ−バ２０の必須の構成ではない。
【００２６】各ＤＢは例えばＳＱＬサ−バなどのＤＢサ−バによって制御することができる。
【００２７】広告媒体サイトは例えばウェブサイトであり、広告媒体サイト上にはバナ−広告やテキスト広告など様々な形式で広告が掲載される。広告媒体サイト内で広告を掲載するに際しては、広告媒体サイトを運営する者と、広告媒体サイト内で広告の掲載を行ってもらいたい広告主との間で、広告等に関する契約が予め結ばれているものとする。なお、広告媒体サイトを運営する者と広告主との間に広告代理店や広告管理会社等が媒介する場合もある。
【００２８】また、サ−バ２０を運営する者は、広告媒体サイトを運営する者との間で、広告リンクに含まれるアプリＩＤや商品ＩＤなど必要な情報について各種連絡や情報共有などをしているものとする。
【００２９】上記広告リンクには、サ−バ２０にアクセスするためのＵＲＬが埋め込まれている。そのＵＲＬには、パラメタ（例えば、Ｑｕｅｒｙ  Ｓｔｒｉｎｇなど）においてアプリＩＤ、商品ＩＤが含まれる。
勿論この他の手段を用いて、アプリＩＤ、商品ＩＤがサ−バ２０に取得されるようにしてもよい。なお、商品ＩＤは請求項に記載されたその他パラメタ情報に該当するものである。
【００３０】アプリストアから配信されるアプリには、初回起動時にウェブブラウザを立ち上げ情報処理端末１０に格納されたクッキ−をサ−バ２０に送信するプログラムが組み込まれている。
このようなプログラムは、たとえばサ−バ２０を運営する者からＳＤＫ（Ｓｏｆｔｗａｒｅ  Ｄｅｖｅｌｏｐｍｅｎｔ  Ｋｉｔ）として予めアプリの開発者に提供されており、アプリ１１の一部として組み入れられる。
【００３１】本システムの処理について説明する。なお、以下では、処理の流れをシ−ケンシャルに説明するが、特にこれにこだわるものではない。従って、動作に矛盾が生じない限り、処理の順序を入れ替えまたは並行動作するように構成しても良い。
【００３２】インタ−ネット利用者は情報処理端末１０のウェブブラウザ等を利用して広告媒体サイトにアクセスする。
【００３３】情報処理端末１０が広告媒体サイトにアクセスすると、広告リンクを含むウェブペ−ジが情報処理端末１０のディスプレイに表示される。
【００３４】広告リンクはバナ−広告やテキスト広告など様々な形式で掲載される。また、広告リンクはサ−バ２０へのＵＲＬを含み、パラメタとしてアプリＩＤ及び商品ＩＤを含む。
【００３５】情報処理端末１０上で広告リンクがクリックされるなどして選択されると、情報処理端末１０はサ−バ２０にアクセスする（すなわち、サ−バ２０にアプリＩＤ及び商品ＩＤを含むＨＴＴＰリクエストを送信する）。
【００３６】サ−バ２０はＨＴＴＰリクエストを受信すると、受信したアプリＩＤ及び商品ＩＤ並びに各種ＤＢを用いて、クリックＤＢに新規レコ−ドを追加する。レコ−ドはクリックＩＤと、アプリＩＤと、商品ＩＤと、ＵＲＬスキ−ム情報と、ストアＵＲＬ情報とからなる
【００３７】続けてサ−バ２０は、クリックＩＤを含むクッキ−を発行し、情報処理端末に格納させる。なお、本実施例ではクリックＩＤを含むクッキ−を発行する形式としているが、クリックＩＤの代わりにアプリＩＤ及び商品ＩＤを含むクッキ−を発行する形式にしても良い。あるいは、アプリケ−ションＤＢによりアプリＩＤと対応付けられたＵＲＬスキ−ム情報及び商品ＩＤを含むクッキ−を発行する形式にしても良い。
【００３８】続けてサ−バ２０はＨＴＴＰリクエストに含まれるユ−ザエ−ジェントから、情報処理端末にインスト−ルされているＯＳの種類を特定する。
【００３９】続けてサ−バ２０は情報処理端末上で動作するプログラムを含むＨＴＭＬ文書を生成し、ＨＴＴＰレスポンスとして情報処理端末に送信する。
【００４０】情報処理端末上で動作するプログラムは、例えばＪａｖａＳｃｒｉｐｔ（登録商標）であり、リンク先ＵＲＬに、サ−バ２０が受信したアプリＩＤ及びアプリケ−ションＤＢから特定されるＵＲＬスキ−ム情報にサ−バ２０が受信した商品ＩＤを付加したものを設定するステップと、アプリを起動するステップと、所定時間内にアプリが起動しない場合、リンク先ＵＲＬに、サ−バ２０が受信したアプリＩＤ及びアプリケ−ションＤＢから特定されるストアＵＲＬ情報を設定するステップとを含む。
【００４１】上記プログラムを含むＨＴＭＬ文書を生成する処理は、例えば、ｉＯＳのような特定のアプリがインスト−ルされているか否かを判別できる仕組みがデフォルトの設定として設定されていない場合を主に想定したものであるが、その他の場合（例えば、Ａｎｄｒｏｉｄ（登録商標）ＯＳがインスト−ルされている場合）に上記処理を行うよう設計しても良い。
【００４２】［００３９］及び［００４０］記載の処理の代わりに、リンク先ＵＲＬにサ−バ２０が受信したアプリＩＤ及びアプリケ−ションＤＢから特定されるＵＲＬスキ−ム情報に商品ＩＤを付加したものを設定したＨＴＭＬ文書をＨＴＴＰレスポンスとして情報処理端末に送信する処理を行うよう設計しても良い。なお、この処理は、例えば、Ａｎｄｒｏｉｄ（登録商標）ＯＳのようなアプリの起動を試みても、起動しない場合にはストアＵＲＬに遷移する仕組みがデフォルトの設定として設定されている場合を主に想定したものであるが、その他の場合（例えば、ｉＯＳがインスト−ルされている場合）に上記処理を行うよう設計しても良い。
【００４３】情報処理端末１０がサ−バ２０からＨＴＴＰレスポンスを受信すると、ＪａｖａＳｃｒｉｐｔプログラムが情報処理端末１０上のウェブブラウザ上で実行される。
【００４４】ＪａｖａＳｃｒｉｐｔの実行により、リンク先ＵＲＬにＵＲＬスキ−ム情報に商品ＩＤを付加したものを設定する処理と、アプリを起動する処理と、所定時間内にアプリが起動しない場合、リンク先ＵＲＬにストアＵＲＬ情報を設定する処理が実行される。
【００４５】情報処理端末１０にＵＲＬスキ−ム情報に対応するアプリがインスト−ルされている場合、リンク先ＵＲＬには、ＵＲＬスキ−ム情報に商品ＩＤを付加したものが設定される。なお、ＵＲＬスキ−ム情報は、サ−バ２０が受信したアプリＩＤ及びアプリケ−ションＤＢから特定されたものである。
【００４６】その結果、情報処理端末１０上でアプリが起動され、かつ、特定の商品ペ−ジが表示されることになる。
【００４７】情報処理端末１０にＵＲＬスキ−ム情報に対応するアプリがインスト−ルされていない場合、ＪａｖａＳｃｒｉｐｔプログラムによりアプリの起動が試みられるが所定時間内にアプリが起動することはないため、リンク先ＵＲＬにストアＵＲＬ情報が設定される。なお、ストアＵＲＬ情報は、サ−バ２０が受信したアプリＩＤ及びアプリケ−ションＤＢから特定されたものである。
【００４８】その結果、情報処理端末１０はストアＵＲＬ先にアクセスすることとなり、情報処理端末１０に表示されるペ−ジはアプリストア内の特定のアプリダウンロ−ドペ−ジに遷移する。ユ−ザは各種操作を行い、アプリのダウンロ−ド及びインスト−ルを行う。
【００４９】インスト−ルされた後、情報処理端末１０でアプリが起動されると（本実施例では初回起動時に限る。）、アプリ内に含まれるプログラムがウェブブラウザを立ち上げ、ウェブブラウザを介してサ−バ２０にアクセスする。
【００５０】情報処理端末１０は、サ−バ２０にアクセスする際に、情報処理端末１０に格納されたクッキ−をサ−バ２０に送信する。
【００５１】サ−バ２０はクッキ−に含まれる、クリックＩＤに基づきクリックＤＢを検索し、ＵＲＬスキ−ム情報及び商品ＩＤを特定する。なお、クリックＩＤを含むクッキ−の代わりに、アプリＩＤ及び商品ＩＤを含むクッキ−を発行する形式にした場合、アプリＩＤに基づきアプリケ−ションＤＢを検索し、ＵＲＬスキ−ム情報を特定する。また、アプリケ−ションＤＢによりアプリＩＤと対応付けられたＵＲＬスキ−ム情報及び商品ＩＤを含むクッキ−を発行する形式にした場合には、クッキ−に含まれる情報をそのまま使用することとなる。
【００５２】サ−バ２０は特定したＵＲＬスキ−ム情報及び商品ＩＤを用いて、リンク先ＵＲＬに、特定したＵＲＬスキ−ム情報に商品ＩＤを付加したものが設定されたレスポンスデ−タを情報処理端末１０に送信する。
【００５３】情報処理端末１０上では特定したＵＲＬスキ−ム情報に対応したアプリが起動され、かつ、特定の商品購入ペ−ジが表示される。
【００５４】以上のように、情報処理端末１０にアプリがインスト−ルされている場合には、広告リンクをクリック等するだけで、アプリが起動し、かつ、特定のペ−ジが表示される。特定のペ−ジは、例えば、ある商品の購入ペ−ジであるのでユ−ザが商品の検索等を行う手間が省ける。その結果、ユ−ザの利便性が向上し、ひいてはユ−ザによるアプリの利用を促進することができる。
【００５５】また、情報処理端末１０にアプリがインスト−ルされていない場合には、広告リンクをクリック等するだけで、そのアプリのダウンロ−ドペ−ジに遷移するため、ユ−ザの利便性が向上し、ひいてはユ−ザによるアプリの利用を促進することができる。
【００５６】また、情報処理端末１０にアプリがインスト−ルされていない場合において、ダウンロ−ド及びインスト−ルが完了した後にアプリが起動されたときに、広告リンククリック時の各種情報を保持したクッキ−がサ−バ２０に送信されるため、アプリを起動すると同時にアプリ内の特定のペ−ジに遷移することになる。その結果、ユ−ザの利便性が向上し、ひいてはユ−ザによるアプリの利用を促進することができる。
【００５７】上述した実施の形態に関し、さらに以下の付記を開示する。
（付記１）
ネットワ−クを介して複数の情報処理端末と接続可能なサ−バであって、
アプリＩＤとＵＲＬスキ−ム情報及びＵＲＬスキ−ム情報とを予め対応付けて記憶している記憶手段と、
ネットワ−ク上に存在する広告媒体サイト内の広告リンクが情報処理端末上で選択された際に、広告リンクに含まれる、アプリＩＤ及びその他パラメタ情報を受信する受信手段と、
受信した前記アプリＩＤに対応付けられたＵＲＬスキ−ム情報にその他パラメタ情報を付加した情報をリンク先ＵＲＬに設定したレスポンスデ−タを情報処理端末に送信する第一の送信手段と、
上記レスポンスデ−タを受信した情報処理端末からアプリが起動しなかった旨のメッセ−ジを受信した場合に前記アプリＩＤに対応付けられたストアＵＲＬ情報をリンク先ＵＲＬに設定したレスポンスデ−タを情報処理端末に送信する第二の送信手段と
を備えることを特徴とするサ−バ。
【００５８】（付記２）
前記プログラムが、
リンク先ＵＲＬにＵＲＬスキ−ム情報に商品ＩＤを付加したものを設定するステップと、アプリを起動するステップと、所定時間内にアプリが起動しない場合リンク先ＵＲＬにストアＵＲＬを設定するステップとを含むことを特徴とする
【符号の説明】
【００５９】１０  情報処理端末
２０  サ−バ
３０  通信ネットワ−ク
【図面の簡単な説明】
【００６０】
【図１】本発明の実施の形態にかかるサ−バを含む情報処理システムの構成を示す概略ブロック図である。
【図２】本発明の実施の形態にかかるアプリケ−ションＤＢを模式的に表した図である。
【図３】本発明の実施の形態にかかる商品ＤＢを模式的に表した図である。
【図４】本発明の実施の形態にかかるクリックＤＢを模式的に表した図である。
【図１】
2016149107.tif 000003
【図２】
2016149107.tif 000004
【図３】
2016149107.tif 000005
【図４】
2016149107.tif 000006